(57)【要約】  ＬＥＤ光源が、ＡＣ電圧源に結合された入力端子及びＮ個のＬＥＤ負荷を含む第１の直列配列によって接続された出力端子を有する第１の整流器ＤＢ１を含み、且つＡＣ電圧の瞬間値が増加する場合に、ＬＥＤ負荷に、一つずつ電流を伝達させ、ＡＣ電圧の瞬間値が低下する場合に、一つずつ電流の伝達を停止させるための回路Ｉ１、Ｉ２、Ｉ３、ＣＣを更に含む。ＬＥＤ光源はまた、リアクタンス素子を介してＡＣ電圧源に結合された入力端子と、Ｍ個のＬＥＤを含む第２の直列配列によって接続された出力端子と、を有する第２の整流器ＤＢ２を含み、且つ第２の整流器の入力端子に存在するＡＣ電圧の瞬間値が増加する場合に、ＬＥＤ負荷に、一つずつ電流を伝達させ、ＡＣ電圧の瞬間値が低下する場合に、一つずつ電流の伝達を停止させるための回路Ｉ４を更に含む。
2014529854.tif 000002
【特許請求の範囲】
【請求項１】
−  周波数ｆのＡＣ供給電圧を供給する供給電圧源への接続のための第１の回路入力端子及び第２の回路入力端子と、
−  前記第１の回路入力端子に結合された第１の入力端子と前記第２の回路入力端子に結合された第２の入力端子とを備えた第１の整流器と、
−  Ｎ個のＬＥＤ負荷を含む第１の直列配列であって、前記第１の直列配列の第１及び第２の端部が、前記第１の整流器の第１の出力端子及び第２の出力端子にそれぞれ結合され、Ｎが整数である第１の直列配列と、
−  整流されたＡＣ供給電圧の周期中において、瞬間振幅が増加する場合に、前記整流されたＡＣ供給電圧の前記瞬間振幅に依存して、前記第１の直列配列に含まれる前記ＬＥＤ負荷に、一つずつ続いて電流を伝達させるための、且つ前記瞬間振幅が低下する場合に、前記整流されたＡＣ供給電圧の前記瞬間振幅に依存して、前記ＬＥＤ負荷に、一つずつ続いて電流の伝達を停止させるための第１の制御手段と、
−  リアクタンス素子を介して前記第１の回路入力端子に結合された第１の入力端子と、前記第２の回路入力端子に結合された第２の入力端子とを備えた第２の整流器と、
−  Ｍ個のＬＥＤ負荷を含む第２の直列配列であって、前記第２の直列配列の第１及び第２の端部が、前記第２の整流器の第１の出力端子及び第２の出力端子にそれぞれ結合され、Ｍが整数である第２の直列配列と、
−  前記第２の整流器の前記出力端子間に存在する前記整流されたＡＣ供給電圧の周期中において、前記瞬間振幅が増加する場合に、前記整流されたＡＣ供給電圧の前記瞬間振幅に依存して、前記第２の直列配列に含まれる前記ＬＥＤ負荷に、一つずつ続いて電流を伝達させるための、且つ前記瞬間振幅が低下する場合に、前記整流されたＡＣ供給電圧の前記瞬間振幅に依存して、前記ＬＥＤ負荷に、一つずつ続いて電流の伝達を停止させるための第２の制御手段と
を含むＬＥＤ光源。
【請求項２】
前記リアクタンス素子が、コンデンサである、請求項１に記載のＬＥＤ光源。
【請求項３】
前記第１の制御手段が、
−  スイッチを含み、且つ前記Ｎ個のＬＥＤ負荷のうちのＮ−１個をそれぞれ分路する少なくともＮ−１個の制御ストリングと、
−  前記制御ストリングに含まれる前記スイッチを制御するため前記Ｎ−１個の制御ストリングに結合された制御回路と、
−  Ｎ番目のＬＥＤ負荷と前記整流器の前記第２の出力端子との間に結合された電流源と
を含む、請求項１又は２に記載のＬＥＤ光源。
【請求項４】
前記第２の制御手段が、
−  スイッチを含み、且つ前記Ｍ個のＬＥＤ負荷のうちのＭ−１個をそれぞれ分路する少なくともＭ−１個の制御ストリングと、
−  前記制御ストリングに含まれる前記スイッチを制御するためにＭ個の制御ストリングに結合された制御回路と、
−  Ｎ番目のＬＥＤ負荷と前記整流器の前記第２の出力端子との間に結合された電流源と
を含む、請求項１乃至３のいずれか一項に記載のＬＥＤ光源。
【請求項５】
前記第１の制御手段が、切り替え可能な電流源を含み、且つ前記整流器の前記第２の出力端子にＬＥＤ負荷のカソードを接続するＮ個の制御ストリングを含む、請求項１に記載のＬＥＤ光源。
【請求項６】
前記第２の制御手段が、切り替え可能な電流源を含み、且つ前記整流器の前記第２の出力端子にＬＥＤ負荷のカソードを接続するＭ個の制御ストリングを含む、請求項１に記載のＬＥＤ光源。
【請求項７】
Ｎ個のＬＥＤ負荷の第１の直列配列とＭ個のＬＥＤ負荷の第２の直列配列とを備えたＬＥＤ光源を動作させる方法であって、
−  周波数ｆのＡＣ供給電圧を供給するステップと、
−  第１の整流器によって前記ＡＣ供給電圧を整流し、整流されたＡＣ供給電圧を、Ｎ個のＬＥＤ負荷を含む前記直列配列に供給するステップと、
−  前記整流されたＡＣ供給電圧の周期中に、
−  瞬間振幅が増加する場合に、前記整流されたＡＣ供給電圧の前記瞬間振幅に依存して、前記ＬＥＤ負荷に、一つずつ続いて電流を伝達させるステップと、
−  前記瞬間振幅が低下する場合に、前記整流されたＡＣ供給電圧の前記瞬間振幅に依存して、前記ＬＥＤ負荷に、続いて電流の伝達を停止させるステップとを含み、
且つまた、
−  周波数ｆの前記ＡＣ供給電圧を、リアクタンス素子を介して第２の整流器に供給するステップと、
−  前記第２の整流器の入力部に存在する前記ＡＣ供給電圧を整流し、且つ整流されたＡＣ供給電圧を、Ｍ個のＬＥＤ負荷を含む前記直列配列に供給するステップと、
−  前記整流されたＡＣ供給電圧の周期中に、
−  瞬間振幅が増加する場合に、前記整流されたＡＣ供給電圧の前記瞬間振幅に依存して、前記ＬＥＤ負荷に、一つずつ続いて電流を伝達させるステップと、
−  前記瞬間振幅が低下する場合に、前記整流されたＡＣ供給電圧の前記瞬間振幅に依存して、前記ＬＥＤ負荷に、続いて電流の伝達を停止させるステップとを含む同時ステップ
を含む方法。
【発明の詳細な説明】
【技術分野】
【０００１】
本発明は、幹線電源などの、低周波ＡＣ電圧を供給する電源に直接接続可能なＬＥＤ負荷を含む安価で単純なＬＥＤ光源に関する。
【背景技術】
【０００２】
上記ＬＥＤ光源は、米国特許第７，０８１，７２２号から周知である。ＬＥＤ負荷は、個別ＬＥＤの直列配列及び場合により並列配列を含むＬＥＤアレイである。ＬＥＤ光源は、低周波ＡＣ電圧を整流するための整流器を含む。低周波ＡＣ電圧の周波数がｆである場合に、周波数２ｆ、及びゼロボルトと最大振幅との間で変化する瞬間振幅を備えた周期ＤＣ電圧が、動作中に整流器の出力端子間に存在する。Ｎ  ＬＥＤ負荷の直列配列が、整流器の出力端子間に結合される。ＬＥＤ光源は、低周波ＡＣ電圧の半周期中に、振幅が増加する場合に、低周波ＡＣ供給電圧の瞬間振幅に依存して、ＬＥＤ負荷に、一つずつ続いて電流を伝達させるための、且つ瞬間振幅が低下する場合に、低周波ＡＣ供給電圧の瞬間振幅に依存して、ＬＥＤ負荷に、一つずつ続いて電流の伝達を停止させるための制御手段を更に備え付けられる。
【０００３】
周期ＤＣ電圧の瞬間振幅がゼロボルトである場合に、ＬＥＤ負荷のいずれも電流を伝達しない。周期ＤＣ電圧の瞬間振幅が増加すると、第１のＬＥＤ負荷が電流を伝達し始める電圧に達する。同様に、周期ＤＣ電圧の振幅が、十分に高い値に更に増加すると、第２のＬＥＤ負荷が、導通し始める。周期ＤＣ電圧の振幅が更に増加すると、残りのＬＥＤ負荷が、続いて電流を伝達し始める。
【０００４】
ＬＥＤ負荷の全てが電流を伝達すると、周期ＤＣ電圧の瞬間振幅は、最大振幅に達するまで更に増加する。その後、周期ＤＣ電圧の瞬間振幅は、低下し始める。瞬間振幅が低下する間に、ＬＥＤ負荷は、一つずつ電流の導通を停止する。第１のＬＥＤ負荷が導通を停止した後で、周期直流電流の瞬間振幅は、更にゼロへと低下し、その後、上記で説明されたサイクルが繰り返される。
【０００５】
周知のＬＥＤ光源は、非常に小型で比較的単純である。更に、それは、幹線電源などの低周波ＡＣ供給電圧源から直接電力を供給され得る。周知のＬＥＤ光源の欠点は、低周波ＡＣ電圧のゼロ交差の近くで、光が、ＬＥＤ光源によって発生されないということである。これらの光の隙間を防ぐこと及びそれによってストロボ効果を防ぐことが望ましい。この問題に対する可能な解決法は、「フィルインコンデンサ（fill in capacitor）」を使用することである。このコンデンサは、幹線電圧の振幅が比較的高い場合に、各半周期に充電され、幹線電圧の振幅が非常に低い場合に、ＬＥＤ負荷に電流を供給する。結果として、ＬＥＤ光源は、連続的に光を発生する。しかしながら、比較的大きなコンデンサが必要とされ、それは、平面ＬＥＤ光源が必要とされる場合には望ましくない。更に、少なくとも１つのスイッチング素子、及びコンデンサの充電及び放電を制御するための制御回路が必要とされる。
【発明の概要】
【発明が解決しようとする課題】
【０００６】
本発明の目的は、光の隙間なしに光を連続的に発生し、位相カット調光器に適合され得、且つ非常に平坦になり得るＬＥＤ光源を提供することである。
【課題を解決するための手段】
【０００７】
本発明は、独立請求項によって定義される。従属請求項は、有利な実施形態を定義する。
【０００８】
本発明の一態様は、ＡＣ電圧源に結合された入力端子及びＮ個のＬＥＤ負荷を含む第１の直列配列によって接続された出力端子を有する第１の整流器を含むＬＥＤ光源であって、ＡＣ電圧の瞬間値が増加する場合に、ＬＥＤ負荷に一つずつ電流を伝達させ、且つＡＣ電圧の瞬間値が低下する場合に、一つずつ電流の伝達を停止させる回路を更に含むＬＥＤ光源を提供する。ＬＥＤ光源はまた、リアクタンス素子を介してＡＣ電圧源に結合された入力端子と、Ｍ個のＬＥＤを含み、且つ第２の整流器の入力端子に存在するＡＣ電圧の瞬間値が増加する場合に、ＬＥＤ負荷に、一つずつ電流を伝達させ、ＡＣ電圧の瞬間値が低下する場合に、一つずつ電流の伝達を停止させる回路を更に含む第２の直列配列によって接続された出力端子と、を有する第２の整流器を含む。
【０００９】
本発明の態様によれば、ＬＥＤ光源であって、
−  周波数ｆの低周波ＡＣ供給電圧を供給する供給電圧源への接続のための第１の回路入力端子及び第２の回路入力端子と、
−  第１の回路入力端子に結合された第１の入力端子と第２の回路入力端子に結合された第２の入力端子とを備え付けられた第１の整流器と、
−  Ｎ個のＬＥＤ負荷を含む第１の直列配列であって、前記第１の直列配列の第１及び第２の端部が、第１の整流器の第１の出力端子及び第２の出力端子にそれぞれ結合され、Ｎが整数である第１の直列配列と、
−  低周波ＡＣ電圧の半周期中において、瞬間振幅が増加する場合に、低周波ＡＣ供給電圧の瞬間振幅に依存して、第１の直列配列に含まれるＬＥＤ負荷に、一つずつ続いて電流を伝達させるための、且つ瞬間振幅が低下する場合に、低周波ＡＣ供給電圧の瞬間振幅に依存して、ＬＥＤ負荷に、一つずつ続いて電流の伝達を停止させるための第１の制御手段と、
−  リアクタンス素子を介して第１の回路入力端子に結合された第１の入力端子と、第２の回路入力端子に結合された第２の入力端子とを備え付けられた第２の整流器と、
−  Ｍ個のＬＥＤ負荷を含む第２の直列配列であって、前記第２の直列配列の第１及び第２の端部が、第２の整流器の第１の出力端子及び第２の出力端子にそれぞれ結合され、Ｍが整数である第２の直列配列と、
−  第２の整流器の出力端子間に存在する整流されたＡＣ電圧の周期中において、瞬間振幅が増加する場合に、整流されたＡＣ電圧の瞬間振幅に依存して、第２の直列配列に含まれるＬＥＤ負荷に、一つずつ続いて電流を伝達させるための、且つ瞬間振幅が低下する場合に、整流されたＡＣ電圧の瞬間振幅に依存して、ＬＥＤ負荷に、一つずつ続いて電流の伝達を停止させるための、第２の制御手段と、
を含むＬＥＤ光源が提供される。
【００１０】
リアクタンス素子が、ＬＥＤ負荷の第１の直列配列及びＬＥＤ負荷の第２の直列配列によって伝達される電流間の位相シフトを引き起こすので、どの時点でも、直列配列の１つにおける少なくとも１つ又は複数のＬＥＤ負荷が電流を伝達し、従って光を発生する。このようにしてストロボ効果は、防止される。かさばるコンデンサが省かれ得るので、ＬＥＤ光源を非常に平坦にすること（それが望ましい場合に）もまた可能である。更に、本発明によるＬＥＤ光源は、位相カット調光器と適合され得、比較的高い力率を有する。本発明によるＬＥＤ光源のフリッカ指数及びＴＨＤが低く、一方で効率が高いことも分かった。電解コンデンサが省かれ得るという事実は、ＬＥＤ光源の寿命に好ましい効果がある。Ｎ及びＭの両方が、１に等しくてもよいことが注目される。Ｎ＝１及びＭ＞１である実施形態に対して、且つＭ＝１及びＮ＞１の実施形態に対して、良い結果が得られた。良い結果が、Ｎ及びＭの両方が１より大きい実施形態に対しても得られた。
【００１１】
本発明の別の態様に従って、Ｎ個のＬＥＤ負荷を含む第１の直列配列とＭ個のＬＥＤ負荷を含む第２の直列配列とを備えたＬＥＤ光源を動作させるための方法であって、
−  周波数ｆのＡＣ供給電圧を供給するステップと、
−  第１の整流器によってＡＣ供給電圧を整流し、整流されたＡＣ電圧を、Ｎ個のＬＥＤ負荷を含む直列配列に供給するステップと、
−  整流されたＡＣ供給電圧の周期中に、
−  瞬間振幅が増加する場合に、整流されたＡＣ供給電圧の瞬間振幅に依存して、ＬＥＤ負荷に、一つずつ続いて電流を伝達させるステップと、
−  瞬間振幅が低下する場合に、整流されたＡＣ供給電圧の瞬間振幅に依存して、ＬＥＤ負荷に、続いて電流の伝達を停止させるステップとを含み、
且つまた、
−  周波数ｆのＡＣ供給電圧を、リアクタンス素子を介して第２の整流器に供給するステップと、
−  第２の整流器の入力部に存在するＡＣ電圧を整流し、且つ第２の整流器の出力端子間に存在する整流されたＡＣ電圧を、Ｍ個のＬＥＤ負荷を含む直列配列に供給するステップと、
−  整流されたＡＣ電圧の周期中に、
−  瞬間振幅が増加する場合に、整流されたＡＣ電圧の瞬間振幅に依存して、ＬＥＤ負荷に、一つずつ続いて電流を伝達させるステップと、
−  瞬間振幅が低下する場合に、整流されたＡＣ電圧の瞬間振幅に依存して、ＬＥＤ負荷に、続いて電流の伝達を停止させるステップとを含む同時ステップ
を含む方法が提供される。
【００１２】
本発明の更なる詳細は、従属請求項で言及される。
【００１３】
本発明によるＬＥＤ光源の実施形態は、図面を利用して更に説明される。
【図面の簡単な説明】
【００１４】
【図１】本発明によるＬＥＤ光源における３つの実施形態の概略図を示す。
【図２】図１ａの実施形態を多少より詳細に示す。
【図３】図２に示されている実施形態における電流の形状を時間の関数として示す。
【図４】本発明によるＬＥＤ光源の別の実施形態を示す。
【図５】図４に示されている実施形態における電流の形状を時間の関数として示す。
【発明を実施するための形態】
【００１５】
図１ａにおいて、Ｋ１及びＫ２は、欧州又は米国の幹線電源などの低周波ＡＣ電圧源への接続用の第１及び第２の回路入力端子である。回路入力端子Ｋ１及びＫ２は、ダイオードブリッジＤＢ１のそれぞれの入力端子に接続される。ダイオードブリッジＤＢ１の第１の出力端子は、３つのＬＥＤ負荷ＬＥＤ１、ＬＥＤ２及びＬＥＤ３並びに電流源Ｉ３の直列配列によって、ダイオードブリッジＤＢ１の第２の出力端子にそれぞれ接続される。ＬＥＤ負荷は、個別ＬＥＤの直列配列及び場合により並列配列を含むＬＥＤアレイである。ＬＥＤ負荷ＬＥＤ１のカソードは、制御可能な電流源Ｉ１によって、ダイオードブリッジＤＢ１の第２の出力端子に接続され、ＬＥＤ負荷ＬＥＤ２のカソードは、制御可能な電流源Ｉ２によって、ダイオードブリッジＤＢ１の第２の出力端子に接続される。制御回路ＣＣは、制御可能な電流源Ｉ１及びＩ２に結合される。コンデンサＣ１が、第１の回路入力端子Ｋ１と、第２のダイオードブリッジＤＢ２の第１の入力端子との間に結合される。第２の回路入力端子Ｋ２は、第２のダイオードブリッジＤＢ２の第２の入力端子に結合される。ダイオードブリッジＤＢ２の出力端子は、ＬＥＤ負荷ＬＥＤ４及び電流源Ｉ４の直列配列によって接続される。
【００１６】
図１ａに示されているＬＥＤ光源の動作は、以下の通りである。
【００１７】
入力端子Ｋ１及びＫ２が、低周波ＡＣ供給電圧源に接続されると、低周波ＡＣ供給電圧源によって供給された低周波ＡＣ供給電圧は、整流されたＡＣ電圧がダイオードブリッジＤＢ１の出力端子間に存在するように、ダイオードブリッジＤＢ１によって整流される。この整流されたＡＣ電圧の各周期において、出力端子間に存在する電圧は、第１の半周期中にゼロボルトから最大振幅まで増加する。電圧が、ＬＥＤ負荷ＬＥＤ１の順方向電圧に達すると、電流が、ＬＥＤ負荷ＬＥＤ１及び電流源Ｉ１を通って流れ始める。電圧が更に増加して、ＬＥＤ負荷ＬＥＤ１及びＬＥＤ負荷ＬＥＤ２の順方向電圧の合計に達すると、電流が、ＬＥＤ負荷ＬＥＤ１及びＬＥＤ２並びに電流源Ｉ２を通って流れ始める。高ワット損を防ぐために、電流源Ｉ１は、制御回路ＣＣによってオフにされる。電圧の更なる増加に際し、電圧が、ＬＥＤ負荷ＬＥＤ１、ＬＥＤ２及びＬＥＤ３の順方向電圧と等しい値に達すると、電流が、ＬＥＤ負荷ＬＥＤ１、ＬＥＤ２、及びＬＥＤ３並びに電流源Ｉ３を通って流れ始める。電流源Ｉ２は、高ワット損を防ぐために制御回路ＣＣによってオフにされる。整流されたＡＣ電圧の周期の後半に、電圧は低下する。電圧が、３つのＬＥＤ負荷の順方向電圧の合計より低い値に低下すると、ＬＥＤ負荷ＬＥＤ３は、電流の導通を停止し、制御回路は、電流源Ｉ２を再びオンにし、その結果、電流が、ＬＥＤ負荷ＬＥＤ１及びＬＥＤ２並びに電流源Ｉ２を通って流れる。電圧が更に低下し、ＬＥＤ負荷ＬＥＤ１及びＬＥＤ２の順方向電圧の合計より低くなると、電流源Ｉ１が、制御回路ＣＣによってオンにされ、ＬＥＤ負荷ＬＥＤ２は、電流の導通を停止する。従って、電圧がＬＥＤ負荷ＬＥＤ１の順方向電圧より下に降下し、その結果またＬＥＤ負荷ＬＥＤ１が電流の伝達を停止するまで、電流が、ＬＥＤ負荷ＬＥＤ１及び電流源Ｉ１を通って流れる。このシーケンスは、整流されたＡＣ電圧の各後続の周期中に繰り返される。結果として、ＬＥＤ負荷を通る電流は、ＡＣ供給電圧のゼロ交差の近くでゼロに降下する周期ＤＣ電流である。
【００１８】
第２のダイオードブリッジの入力端子には、低周波ＡＣ供給電圧源によって供給された低周波ＡＣ電圧に対して位相シフトされた低周波ＡＣ電圧が存在する。この位相シフトは、コンデンサＣ１によって引き起こされる。結果として、ダイオードブリッジＤＢ２の出力端子間に存在する整流されたＡＣ電圧もまた、ダイオードブリッジＤＢ１の出力端子間に存在する整流されたＡＣ電圧に対して位相シフトされる。ダイオードブリッジＤＢ２の出力端子間に存在する、更に第２の整流されたＡＣ電圧と呼ばれる整流されたＡＣ電圧の各周期において、ＬＥＤ負荷ＬＥＤ４及び電流源Ｉ４の直列配列は、第２の整流されたＡＣ電圧が、ＬＥＤ負荷ＬＥＤ４の順方向電圧より高い限りは、電流を伝達する。従って、ＬＥＤ負荷ＬＥＤ４を通る電流は、第２の整流されたＡＣ電圧がＬＥＤ負荷ＬＥＤ４の順方向電圧より低い場合にゼロに降下する周期ＤＣ電流である。
【００１９】
コンデンサＣ１は、第１の電流が振幅ゼロを有する時間経過が、第２の電流が振幅ゼロを有する時間経過と決して重ならないような、一方でＬＥＤ負荷ＬＥＤ１、ＬＥＤ２及びＬＥＤ３を通る電流と他方でＬＥＤ負荷ＬＥＤ４を通る電流との間の位相シフトを達成する大きさにされる。結果として、光の隙間がなくストロボ効果が回避されるように、どの時点でも、ＬＥＤ負荷の少なくとも一部が光を発生する。
【００２０】
図１Ｂにおいて、図１Ａにおけるものと類似のコンポーネント及び回路部品は、同じ参照番号を有する。図１Ｂにおいて、Ｍは２と等しく、結果として、追加のＬＥＤ負荷ＬＥＤ５及び電流源Ｉ５が、第２の整流器ＤＢ２の出力端子に接続された回路に存在する。この回路の動作は、第１の整流器ＤＢ１の出力端子に接続された回路の動作と類似している。第２の整流器の出力端子間に存在する整流されたＡＣ電圧が増加すると、ＬＥＤ負荷ＬＥＤ４及びＬＥＤ５は、続いて電流を伝達し始める。整流されたＡＣ電圧が低下すると、ＬＥＤ負荷ＬＥＤ５及びＬＥＤ負荷ＬＥＤ４は、続いて電流の伝達を停止する。また図１Ｂの実施形態において、一方でＬＥＤ負荷ＬＥＤ１、ＬＥＤ２及びＬＥＤ３を通る電流と、他方でＬＥＤ負荷ＬＥＤ４及びＬＥＤ５を通る電流との間の位相シフトは、光の隙間がなく、ストロボ効果が回避されるように、どの時点でも、ＬＥＤ負荷の少なくとも一部が光を発生することを確実にする。
【００２１】
図１Ｃにおいて、図１Ａにおけるものと類似のコンポーネント及び回路部品は、同じ参照番号を有する。電流源Ｉ１及びＩ２が、図１Ｃにおける実施形態において省かれていること、並びにＬＥＤ負荷ＬＥＤ２及びＬＥＤ３が、スイッチＳ１及びＳ２によってそれぞれ分路されることが理解され得る。これらのスイッチの制御電極は、制御回路ＣＣに結合される。
【００２２】
図１ＣにおけるＬＥＤ光源の動作は、図１Ａに示されている動作と非常に類似している。
【００２３】
ダイオードブリッジＤＢ１の出力端子間に存在する整流されたＡＣ電圧の各周期の第１の時間経過中に、制御回路は、スイッチＳ１及びＳ２の両方とも導電状態に制御する。電圧が、ＬＥＤ負荷ＬＥＤ１の順方向電圧と等しい場合に、電流が、ＬＥＤ負荷ＬＥＤ１、スイッチＳ１、スイッチＳ２及び電流源Ｉ３を通って流れ始める。電圧が、ＬＥＤ負荷ＬＥＤ１及びＬＥＤ２の順方向電圧の合計と等しい場合に、スイッチＳ１は、制御回路ＣＣによって非導通状態にされ、電流が、ＬＥＤ負荷ＬＥＤ１、ＬＥＤ負荷ＬＥＤ２、スイッチＳ２及び電流源Ｉ３を通って流れ始める。電圧が更に増加し、ＬＥＤ負荷ＬＥＤ１、ＬＥＤ２及びＬＥＤ３の順方向電圧の合計と等しくなった場合に、スイッチＳ２は、制御回路ＣＣによって非導通状態にされ、電流が、３つのＬＥＤ負荷ＬＥＤ１、ＬＥＤ２及びＬＥＤ３を通って流れる。整流器ＤＢ１の出力端子間に存在する電圧が、整流されたＡＣ電圧の周期における後半中に降下した場合に、ＬＥＤ負荷ＬＥＤ３及びＬＥＤ２は、その順序で導通を停止し、スイッチＳ２及びＳ１は、その順序で再び導通状態にされる。電圧が、ＬＥＤ負荷ＬＥＤ１の順方向電圧より低くなった場合に、ＬＥＤ負荷ＬＥＤ１は、導通を停止する。ＬＥＤ負荷ＬＥＤ１、ＬＥＤ２及びＬＥＤ３を通る電流は、図１Ａに示されている実施形態においてこれらのＬＥＤ負荷を通る電流と類似している。またＬＥＤ負荷ＬＥＤ４を通る電流は、図１Ａに示されている実施形態においてＬＥＤ負荷ＬＥＤ４を通る電流と類似しており、且つＬＥＤ負荷ＬＥＤ１、ＬＥＤ２及びＬＥＤ３を通る電流に対して、コンデンサＣ１によって位相シフトされる。結果としてまた、図１Ｃに示されているＬＥＤ光源によって発生される光には、光の隙間がなく、ストロボ効果が回避される。ＬＥＤ負荷ＬＥＤ１−ＬＥＤ３のそれぞれが、制御回路ＣＣによって制御されるスイッチによって分路された場合に、ＬＥＤ負荷を任意の順序で導通状態及び非導通状態にし得るであろうことが注目される。
【００２４】
図２に示されているＬＥＤ光源は、図１Ａに示されているＬＥＤ光源に対応するが、電流源及び制御回路は、より詳細に示されている。図１Ａに示されているものと類似しているコンポーネント及び回路部品は、同じ参照番号を有する。Ｋ３及びＫ４は、ダイオードブリッジＤＢ１の第１及び第２の出力端子である。第１の出力端子Ｋ３は、ＬＥＤ負荷ＬＥＤ１、トランジスタＴ１、抵抗器Ｒ６、ダイオードＤ１、抵抗器Ｒ７、ダイオードＤ２及び抵抗器Ｒ８の直列配列によって、第２の出力端子Ｋ４に接続される。第１の出力端子Ｋ３はまた、抵抗器Ｒ１、トランジスタＴ２及びコンデンサＣ２の直列配列によって、第２の出力端子Ｋ４に接続される。コンデンサＣ２は、ツェナーダイオードＤ３によって分路される。トランジスタＴ１のベースは、抵抗器Ｒ１及びトランジスタＴ２の共通端子に接続される。トランジスタＴ１及び抵抗器Ｒ６の共通端子は、トランジスタＴ２のベースに接続される。トランジスタＴ３が、ＬＥＤ負荷ＬＥＤ２のカソード、並びにダイオードＤ１及び抵抗器Ｒ７の共通端子を接続する。ＬＥＤ負荷ＬＥＤ１のカソードは、抵抗器Ｒ２及びトランジスタＴ４の直列配列によって、トランジスタＴ２及びコンデンサＣ２の共通端子に接続される。トランジスタＴ３のベース電極は、抵抗器Ｒ２及びトランジスタＴ４の共通端子に接続される。トランジスタＴ４のベースは、ダイオードＤ１及び抵抗器Ｒ７の共通端子に接続される。ＬＥＤ負荷ＬＥＤ３のカソードは、トランジスタＴ５によって、ダイオードＤ２及び抵抗器Ｒ８の共通端子に接続される。ＬＥＤ負荷ＬＥＤ２のカソードは、抵抗器Ｒ３及びトランジスタＴ６の直列配列によって、トランジスタＴ２及びコンデンサＣ２の共通端子に接続される。トランジスタＴ５のベースは、抵抗器Ｒ３及びトランジスタＴ６の共通端子に接続される。トランジスタＴ６のベースは、ダイオードＤ２及び抵抗器Ｒ８の共通端子に接続される。
【００２５】
Ｋ５及びＫ６は、それぞれ、ダイオードブリッジＤＢ２の第１及び第２の出力端子である。電流源が、トランジスタＴ７によって形成される。トランジスタＴ８並びに抵抗器Ｒ４及びＲ５は、一緒に、トランジスタＴ７を通る電流の振幅を調整する回路を形成する。ＬＥＤ負荷ＬＥＤ４のカソードは、トランジスタＴ７及び抵抗器Ｒ５の直列配列によって、第２の出力端子Ｋ６に接続される。第１の出力端子Ｋ５は、抵抗器Ｒ４及びトランジスタＴ８の直列配列によって、第２の出力端子Ｋ６に接続される。トランジスタＴ７のベースは、抵抗器Ｒ４及びトランジスタＴ８の共通端子に接続される。トランジスタＴ８のベースは、トランジスタＴ７及び抵抗器Ｒ５の共通端子に接続される。
【００２６】
図２において、トランジスタＴ１、Ｔ３、Ｔ５及びＴ７は、電流源として働き、ダイオードブリッジＤＢ１及びＤＢ２並びにコンデンサＣ１は別として全ての他のコンポーネントは、一緒に、電流源、即ちトランジスタＴ１、Ｔ３、Ｔ５、Ｔ７を制御するための制御回路を形成する。
【００２７】
図２に示されているＬＥＤ光源の動作は、以下の通りである。
【００２８】
動作中に、整流されたＡＣ電圧が、ダイオードブリッジＤＢ１の第１及び第２の出力端子Ｋ３及びＫ４間に存在する。整流されたＡＣ電圧の各周期の初めに、電圧の瞬間振幅はゼロであり、続いて増加し始める。これは、第１の出力端子Ｋ３から、抵抗器Ｒ１、トランジスタＴ１のベースエミッタ接合部、抵抗器Ｒ６、ダイオードＤ１、抵抗器Ｒ７、ダイオードＤ２及び抵抗器Ｒ８を通って、第２の出力端子Ｋ４へ電流を流れさせる。この電流は、トランジスタＴ１を導通状態にし、結果として、整流された電圧の瞬間値がＬＥＤ負荷ＬＥＤ１の順方向電圧より高い場合に、電流が、第１の出力端子Ｋ３から、ＬＥＤ負荷ＬＥＤ１、トランジスタＴ１、抵抗器Ｒ６、ダイオードＤ１、抵抗器Ｒ７、ダイオードＤ２及び抵抗器Ｒ８を通って、第２の出力端子Ｋ４へ流れ始める。この電流は、抵抗器Ｒ６、ダイオードＤ１、抵抗器Ｒ７、ダイオードＤ２及び抵抗器Ｒ８の両端にわたる電圧を増加させ、それによってトランジスタＴ２を導通状態にする。結果として、第１の出力端子Ｋ３から抵抗器Ｒ１を通って流れる電流の一部が、トランジスタＴ１のベースエミッタ接合部を通る代わりにトランジスタＴ２を通って流れ、それによって結果として、トランジスタＴ１を通って流れる電流は低下される。トランジスタＴ１及びＴ２によって伝達される電流間のバランスが達せられ、結果として、トランジスタＴ１を通る電流は、ほぼ一定値へと調整され、トランジスタＴ１は、電流源として働く。このほぼ一定値は、ツェナーダイオードＤ３の両端にわたる電圧よって決定される。何故なら、抵抗器Ｒ６、ダイオードＤ１、抵抗器Ｒ７、ダイオードＤ２及び抵抗器Ｒ８の両端にわたる電圧が、トランジスタＴ２のベースエミッタ接合部の両端にわたる電圧及びツェナーダイオードＤ３の両端にわたる電圧の合計と等しいからである。
【００２９】
整流されたＡＣ電圧の瞬間振幅が、ＬＥＤ負荷ＬＥＤ１の順方向電圧より高い場合に、電流が、第１の出力端子Ｋ３から、ＬＥＤ負荷ＬＥＤ１、抵抗器Ｒ２、トランジスタＴ３のベースエミッタ接合部、抵抗器Ｒ７、ダイオードＤ２及び抵抗器Ｒ８を通って、第２の出力端子Ｋ４へ流れ始める。この電流は、トランジスタＴ３を導通状態にする。整流されたＡＣ電圧の瞬間値が、更に増加して、ＬＥＤ負荷ＬＥＤ１及びＬＥＤ２の順方向電圧の合計より高くなると、電流が、第１の出力端子Ｋ３から、ＬＥＤ負荷ＬＥＤ１及びＬＥＤ２、トランジスタＴ３、抵抗器Ｒ７、ダイオードＤ２及び抵抗器Ｒ８を通って流れ始める。この電流は、抵抗器Ｒ７、ダイオードＤ２及び抵抗器Ｒ８の両端にわたる電圧を増加させ、それによってトランジスタＴ４を導通状態にする。結果として、第１の出力端子Ｋ３から抵抗器Ｒ２を通って流れる電流の一部が、トランジスタＴ３のベースエミッタ接合部を通る代わりに、トランジスタＴ４を通って流れ、それによって結果として、トランジスタＴ３及びＴ４によって伝達される電流間のバランスに達する。従って、トランジスタＴ３を通る電流は、トランジスタＴ３が電流源として働くように、ほぼ一定値に調整される。このほぼ一定値は、ツェナーダイオードＤ３の両端にわたる電圧によって決定される。何故なら、抵抗器Ｒ７、ダイオードＤ２及び抵抗器Ｒ８の両端にわたる電圧が、トランジスタＴ４のベースエミッタ接合部の両端にわたる電圧、及びツェナーダイオードＤ３の両端にわたる電圧の合計と等しいからである。抵抗器Ｒ６及びダイオードＤ１が、Ｔ３を通る電流の電流経路にないので、ＬＥＤ負荷ＬＥＤ１及びＬＥＤ２並びにトランジスタＴ３を通る電流は、ＬＥＤ負荷ＬＥＤ２が電流を導通させ始める前に、ＬＥＤ負荷ＬＥＤ１及びトランジスタＴ１を通る電流より高い値を有する。
【００３０】
このより高い電流値は、「電流スタック」と呼ばれることが多い。第２のＬＥＤ負荷ＬＥＤ２が電流を導通すると、トランジスタＴ１及びＴ２を通る電流は、ほぼゼロになる。これは、以下のように説明され得る。トランジスタＴ１及びトランジスタＴ３の両方が導通状態であると仮定されると、同様にトランジスタＴ２及びＴ４も導通状態であり、Ｔ１のエミッタは、ツェナーダイオードＤ３のツェナー電圧及びトランジスタＴ２のベースエミッタ電圧の合計である電圧（＝０．７Ｖ）である。トランジスタＴ３のエミッタは、ツェナーダイオードＤ３のツェナー電圧及びトランジスタＴ４のベースエミッタ電圧の合計と等しい電圧（＝０．７Ｖ）である。換言すれば、トランジスタＴ１のエミッタにおける電圧は、トランジスタＴ３のエミッタにおける電圧とほぼ等しく、従って、抵抗器Ｒ６及びダイオードＤ７の両端にわたる電圧降下はほぼない。抵抗器Ｒ６を通る電流、並びに従ってトランジスタＴ１及びＴ２を通る電流は、ほぼゼロである。この結果は、ピンチオフと呼ばれる。
【００３１】
整流されたＡＣ電圧の瞬間振幅が、ＬＥＤ負荷ＬＥＤ１及びＬＥＤ負荷ＬＥＤ２の順方向電圧の合計より高い場合に、電流が、第１の出力端子Ｋ３から、ＬＥＤ負荷ＬＥＤ１及びＬＥＤ２、抵抗器Ｒ３、トランジスタＴ５のベースエミッタ接合部並びに抵抗器Ｒ８を通って、第２の出力端子Ｋ４へ流れ始める。この電流は、トランジスタＴ５を導通状態にする。整流されたＡＣ電圧の瞬間値が、更に増加し、ＬＥＤ負荷ＬＥＤ１、ＬＥＤ２及びＬＥＤ３の順方向電圧の合計より高くなると、電流が、第１の出力端子Ｋ３から、ＬＥＤ負荷ＬＥＤ１、ＬＥＤ２及びＬＥＤ３、トランジスタＴ５並びに抵抗器Ｒ８を通って流れ始める。この電流は、抵抗器Ｒ８の両端にわたる電圧を増加させ、それによって、トランジスタＴ６を導通状態にする。結果として、第１の出力端子Ｋ３から抵抗器Ｒ３を通って流れる電流の一部が、トランジスタＴ５のベースエミッタ接合部を通る代わりに、トランジスタＴ６を通って流れ、結果として、トランジスタＴ５及びＴ６によって伝達される電流間のバランスが達せられ、従って、トランジスタＴ５を通る電流は、トランジスタＴ５が電流源として働くように、ほぼ一定値へと調整される。このほぼ一定値は、ツェナーダイオードＤ３の両端にわたる電圧よって決定される。何故なら、抵抗器Ｒ８の両端にわたる電圧が、トランジスタＴ６のベースエミッタ接合部の両端にわたる電圧及びツェナーダイオードＤ３の両端にわたる電圧の合計と等しいからである。抵抗器Ｒ７及びダイオードＤ２が、Ｔ５を通る電流の電流経路にないので、ＬＥＤ負荷ＬＥＤ１、ＬＥＤ２、ＬＥＤ３及びトランジスタＴ５を通る電流は、ＬＥＤ負荷ＬＥＤ３が電流を導通し始める前に、ＬＥＤ負荷ＬＥＤ１及びＬＥＤ２並びにトランジスタＴ３を通る電流より高い値を有する。
【００３２】
上記で説明された電流狭窄を介して、トランジスタＴ３及びＴ４を通る電流は、第３のＬＥＤ負荷ＬＥＤ３が電流を導通すると、ほぼゼロになる。
【００３３】
第１及び第２の出力端子Ｋ３及びＫ４間に存在する整流されたＡＣ電圧が低下し始め、その瞬間値が、ＬＥＤ負荷ＬＥＤ１、ＬＥＤ２及びＬＥＤ３の順方向電圧の合計より低くなると、ＬＥＤ負荷ＬＥＤ３並びにトランジスタＴ５及びＴ６は、電流の導通を停止する。結果として、ピンチオフ効果は、もはやトランジスタＴ３及びＴ４が電流を導通するのを妨げず、結果として、Ｔ３及びＴ４の両方は、整流されたＡＣ電圧の瞬間値がやはり増加していた場合に上記で説明されたのと同じ方法でもう一度導通状態になる。再び、トランジスタＴ３が、ほぼ定電流を伝達する電流源として働くように、トランジスタＴ３を通る電流とトランジスタＴ４を通る電流との間でバランスが確立する。ＬＥＤ光源のこの動作段階において、トランジスタＴ１及びＴ２を通る電流は、やはりほぼゼロである。しかしながら、整流されたＡＣ電圧の瞬間値が、ＬＥＤ負荷ＬＥＤ１及びＬＥＤ２の順方向電圧の合計より低くなると、ＬＥＤ負荷ＬＥＤ２並びにトランジスタＴ３及びＴ４は、電流の導通を停止する。従って、ピンチオフ効果は、もはやトランジスタＴ１及びＴ２が電流を導通するのを妨げず、結果として、Ｔ３及びＴ４の両方とも、上記で説明されたのと同じ方法でもう一度導通状態になる。再び、トランジスタＴ１が、ほぼ定電流を伝達する電流源として働くように、トランジスタＴ１を通る電流とトランジスタＴ２を通る電流との間でバランスが確立する。トランジスタＴ３及びトランジスタＴ１によって続いて伝達される電流は、整流されたＡＣ電圧の瞬間値がまだ増加していた場合にこれらのトランジスタによって伝達された電流と等しい。
【００３４】
ダイオードブリッジＤＢ２の第１及び第２の出力端子Ｋ５及びＫ６間に、第２の整流されたＡＣ電圧が存在する。第２の整流されたＡＣ電圧の周期の初めに、電圧の瞬間値は、ゼロであり、続いて増加し始める。結果として、電流が、第１の出力端子Ｋ５から、Ｒ４、トランジスタＴ７のベースエミッタ接合部及び抵抗器Ｒ５を通って、第２の出力端子Ｋ６へ流れ始める。第２の整流されたＡＣ電圧の瞬間値が、ＬＥＤ負荷ＬＥＤ４の順方向電圧を超えると、ＬＥＤ負荷ＬＥＤ４は、導通し始め、それによって、トランジスタＴ８もまた導通状態になるように、抵抗器Ｒ５の両端にわたる電圧を増加させる。トランジスタＴ７及びＴ８を通る電流間にバランスが確立し、結果として、トランジスタＴ７は、ほぼ定電流を伝達し、従って電流源として働く。第２の整流されたＡＣ電圧の瞬間値が、ＬＥＤ負荷ＬＥＤ４の順方向電圧より下に降下すると、ＬＥＤ負荷ＬＥＤ４並びにトランジスタＴ７及びＴ８は、電流の伝達を停止する。
【００３５】
図３は、ＬＥＤ負荷ＬＥＤ１、ＬＥＤ２及びＬＥＤ３を通って流れる電流（曲線Ｉ）、並びにＬＥＤ負荷ＬＥＤ４を通って流れる電流（曲線ＩＩ）を時間の関数として示す。コンデンサＣ１の存在故に、これらの電流間の位相シフトは、どの時点でも、光の隙間がなくストロボ効果が防止されるように少なくとも１つのＬＥＤ負荷が電流を伝達するというようになる。
【００３６】
図４に示されている実施形態において、図２に示されている実施形態のものに類似しているコンポーネント及び回路部品は、同じ参照番号を有する。図２に示されている実施形態におけるように、３つのＬＥＤ負荷ＬＥＤ１、ＬＥＤ２及びＬＥＤ３が、第１のダイオードブリッジＤＢ１の出力端子Ｋ３及びＫ４間に存在する整流されたＡＣ電圧によって電力を供給される。また、出力端子Ｋ３及びＫ４に接続された回路は、図２における出力端子Ｋ３及びＫ４に接続された回路に非常に類似している。差は、まず第１に、ＬＥＤ負荷ＬＥＤ２のカソードをトランジスタＴ２のベース電極に接続する抵抗器Ｒ１２、及びＬＥＤ負荷ＬＥＤ３のカソードをトランジスタＴ４のベースに接続する抵抗器Ｒ１３の存在である。ＬＥＤ負荷ＬＥＤ２が導通状態になると、電流が、ＬＥＤ負荷ＬＥＤ２のカソードから、抵抗器Ｒ１２を通って、トランジスタＴ２のベースへ流れる。それによって、トランジスタＴ２は、トランジスタＴ１が非導通状態になるように、完全に導通状態にされる。従って、抵抗器Ｒ１２は、図２における実施形態用に上記で説明されたピンチオフ機構に加えて、トランジスタＴ１を非導通状態にするための機構を提供する。ＬＥＤ負荷ＬＥＤ３が導通状態になった場合に、類似の方法で、電流が、ＬＥＤ負荷ＬＥＤ３のカソードから、抵抗器Ｒ１３を通って、トランジスタＴ４のベースへ流れ、結果として、トランジスタＴ４は、完全に導通状態になり、それによって、トランジスタＴ３は、非導通状態にされる。更なる差は、トランジスタＴ１のエミッタとトランジスタＴ２のベースとの間の抵抗器Ｒ１０の存在、及びトランジスタＴ３のエミッタとトランジスタＴ４のベースとの間の抵抗器Ｒ１１の存在である。これらは、抵抗器Ｒ１２を通る電流が、トランジスタＴ２のベースエミッタ接合部の中へではなく、それから離れるように流れるのを防ぐために、且つ抵抗器Ｒ１３を通る電流が、トランジスタＴ４のベースエミッタ接合部の中へではなく、それから離れるように流れるのを防ぐために配置される。最後の差は、ツェナーダイオードＤ３及びコンデンサＣ２が、ダイオードＤ３、Ｄ４及びＤ５、並びにコンデンサＣ３、Ｃ４及びＣ５によって取り替えられるということである。ダイオードＤ５、Ｄ４及びＤ３の直列配列が、トランジスタＴ２と出力端子Ｋ４との間に接続される。トランジスタＴ４のエミッタは、ダイオードＤ５及びダイオードＤ４の共通端子に接続される。トランジスタＴ６のエミッタは、ダイオードＤ４及びダイオードＤ３の共通端子に接続される。ダイオードＤ５、Ｄ４及びＤ３のアノードは、コンデンサＣ５、コンデンサＣ４及びコンデンサＣ３によって、出力端子Ｋ４にそれぞれ接続される。図２の実施形態において、トランジスタＴ２、Ｔ４及びＴ６のエミッタは、それらが導通状態の場合に、ツェナーダイオードＤ３のツェナー電圧に全て維持される。しかしながら、図４の実施形態において、トランジスタＴ２、Ｔ４及びＴ６のエミッタは、それらが導通状態の場合に、ダイオードＤ５、Ｄ４及びＤ３の直列配列の両端にわたる電圧、ダイオードＤ４及びＤ３の直列配列の両端にわたる電圧、及びダイオードＤ３の両端にわたる電圧にそれぞれ維持される。トランジスタＴ２、Ｔ４又はＴ６のベースに存在する任意の所与の電圧に対して、トランジスタは、そのエミッタにおける電圧がより低い場合に、より多くの電流を導通する。結果として、図４における実施形態が、スイッチＴ２、Ｔ４及びＴ６のそれぞれにおけるエミッタの電圧が同じであり且つ直列の３つのダイオードの両端にわたる電圧と等しいという点でのみ異なる基準実施形態と比較されると、トランジスタＴ２を通る電流は、両方の実施形態において同じになり、従って同じことが、トランジスタＴ１を通る電流に対して当てはまる。しかしながら、図４に示されている実施形態において、トランジスタＴ４を通る電流は、基準実施形態においてトランジスタＴ４を通る電流に対して増加され、Ｔ６を通る電流は、基準実施形態においてＴ６を通る電流に対して更に一層増加される。トランジスタＴ１、Ｔ３及びＴ５は、それらが電流を導通している場合に、トランジスタＴ２、Ｔ４及びＴ６とそれぞれバランスを保っているので、従って、ダイオードＤ３〜Ｄ５は、基準実施形態においてＴ３及びＴ５を通る電流に対して、トランジスタＴ３を通る電流の低下及びＴ５を通る電流のより大きな低下を引き起こす。従って、ダイオードＤ３、Ｄ４及びＤ５は、「電流スタック」の影響をある程度打ち消す。このように、電流の変調度は、力率が増加され且つＴＨＤが低下されるように低減される。ＬＥＤ負荷のメンテナンスもまた改善される。コンデンサＣ３、Ｃ４及びＣ５の機能は、ノイズ及びスパイクを除去するためのフィルタとして働くことである。
【００３７】
図４に示されている実施形態において、ダイオードＤ３、Ｄ４及びＤ５は、トランジスタＴ１、Ｔ３及びＴ５が導通している場合に、それらのトランジスタのエミッタの電圧を不等にする。結果として、ピンチオフ機構は、ＬＥＤ負荷ＬＥＤ２及びトランジスタＴ３が電流を伝達する場合に、例えばトランジスタＴ１を完全にオフにすることができない。上記で説明されたように、抵抗器Ｒ１０、Ｒ１１、Ｒ１２及びＲ１３は、トランジスタＴ１及びトランジスタＴ３をオフにするように対処する。
【００３８】
図４に示されている実施形態において、２つのＬＥＤ負荷ＬＥＤ４及びＬＥＤ５は、第２のダイオードブリッジＤＢ２の出力端子Ｋ５及びＫ６間に存在する第２の整流されたＡＣ電圧によって電力を供給される。
【００３９】
これらの２つのＬＥＤ負荷ＬＥＤ４及びＬＥＤ５を通る電流を制御するための回路は、ＬＥＤ負荷ＬＥＤ１、ＬＥＤ２及びＬＥＤ３を通る電流を制御するための回路とあらゆる点で類似している。トランジスタＴ７は、ＬＥＤ負荷ＬＥＤ４だけが導通状態である場合に電流を伝達する第１の電流源であり、トランジスタＴ９は、両方のＬＥＤ負荷ＬＥＤ４及びＬＥＤ５が電流を伝達する場合に電流を伝達する第２の電流源である。回路の残りは、図２の実施形態に含まれる回路、及び図４の実施形態における出力端子Ｋ３及びＫ４に接続されたＬＥＤ負荷ＬＥＤ１、ＬＥＤ２及びＬＥＤ３に電力を供給するための回路の動作の記載で説明されたように、トランジスタＴ７及びＴ９を通る電流をそれぞれ制御する。ダイオードＤ３、Ｄ４及びＤ５のように、ダイオードＤ７及びＤ８は、電流スタックによって引き起こされる電流の変調度を低下させる。
【００４０】
図５は、ＬＥＤ負荷ＬＥＤ１、ＬＥＤ２及びＬＥＤ３を通って流れる電流（曲線Ｉ）、及びＬＥＤ負荷ＬＥＤ４及びＬＥＤ５を通って流れる電流（曲線ＩＩ）を時間の関数として示す。コンデンサＣ１の存在故に、これらの電流間の位相シフトは、光の隙間がなく、ストロボ効果が回避されるように、どの時点でも、少なくとも１つのＬＥＤ負荷が電流を伝達するようなことになる。
【００４１】
上記で言及された実施形態が、本発明を限定するのではなく例示すること、当業者が、添付の特許請求の範囲から逸脱せずに多くの代替実施形態を設計できることが注目されるべきである。特許請求の範囲において、括弧間に配置されたいずれの参照符号も、請求項を限定するものとして解釈されないものとする。単語「含む」は、請求項に挙げられた要素又はステップ以外の要素又はステップの存在を排除しない。要素に先行する単語「ａ」又は「ａｎ」は、複数のかかる要素の存在を排除しない。本発明は、幾つかの別個の要素を含むハードウェアによって、且つ／又は適切にプログラムされたプロセッサによって実施されても良い。幾つかの手段を列挙する装置請求項において、これらの手段の幾つかは、同一のハードウェアのアイテムによって具体化されても良い。ある手段が、相互に異なる従属請求項に挙げられているという単なる事実は、これらの手段の組み合わせが有利に使用され得ないことを意味しない。
【図１Ａ】
2014529854.tif 000003
【図１Ｂ】
2014529854.tif 000004
【図１Ｃ】
2014529854.tif 000005
【図２】
2014529854.tif 000006
【図３】
2014529854.tif 000007
【図４】
2014529854.tif 000008
【図５】
2014529854.tif 000009
【国際調査報告】
2014529854.tif 000010
2014529854.tif 000011